(57)【要約】【課題】番組の一覧において、番組の内容を視覚的に把握可能とすること。【解決手段】実施形態の方法は、複数の放送番組の一覧を表示し、前記一覧を介してユーザにより第１番組が選択される場合、前記第１番組の前回の放送番組に含まれる予告シーンの動画、または、前記第１番組の宣伝シーンの動画、または、前記第１番組に含まれる複数のシーンの中から規則に沿って選択される第１シーンの動画のいずれか一つ以上を取得し、前記一覧とともに、取得された動画をプレビュー表示する。【選択図】図３
2015104081.tif 000002
【特許請求の範囲】
【請求項１】
複数の放送番組の一覧を表示し、
前記一覧を介してユーザにより第１番組が選択される場合、前記第１番組の前回の放送番組に含まれる予告シーンの動画、または、前記第１番組の宣伝シーンの動画、または、前記第１番組に含まれる複数のシーンの中から規則に沿って選択される第１シーンの動画のいずれか一つ以上を取得し、
前記一覧とともに、取得された動画をプレビュー表示する、
ことを含む方法。
【請求項２】
前記第１番組の前記予告シーンの動画、または、前記第１番組の前記宣伝シーンの動画、または、前記第１シーンの動画の録画データにおける録画再生位置を、ネットワーク上のサーバから受信し、
前記記憶部に記憶された録画データから、前記録画再生位置に基づいて、前記第１番組の前記予告シーンの動画、または、前記第１番組の前記宣伝シーンの動画、または、前記第１シーンの動画の前記録画データのいずれか一つ以上を取得する、
請求項１に記載の方法。
【請求項３】
前記第１番組の前記予告シーンの動画、または、前記第１番組の前記宣伝シーンの動画、または、前記第１シーンの動画の前記録画データを保存する外部装置のアドレスを、ネットワーク上のサーバから受信し、
前記外部装置のアドレスにアクセスして、前記第１番組の前記予告シーンの動画、または、前記第１番組の前記宣伝シーンの動画、または、前記第１シーンの動画の前記録画データのいずれか一つ以上を受信する、
請求項１に記載の方法。
【請求項４】
プレビュー表示されたシーンを、自己または他のユーザに推奨する、
ことをさらに含む、請求項１〜３のいずれか一つに記載の方法。
【請求項５】
前記第１番組が定期的に放送される番組である場合に、前記第１番組の前記予告シーンの動画をプレビュー表示し、前記第１番組が単独で放送される番組である場合に、前記宣伝シーンの動画をプレビュー表示する、
請求項１〜４のいずれか一つに記載の方法。
【請求項６】
複数の放送番組の一覧を表示する表示制御部と、
前記一覧を介してユーザにより第１番組が選択される場合、前記第１番組の前回の放送番組に含まれる予告シーンの動画、または、前記第１番組の宣伝シーンの動画、または、前記第１番組に含まれる複数のシーンの中から規則に沿って選択される第１シーンの動画のいずれか一つ以上を取得するプロセッサと、を備え、
前記表示制御部は、前記一覧とともに、取得された動画をプレビュー表示する、
電子機器。
【請求項７】
過去に録画した番組の録画データを記憶する記憶部と、
前記第１番組の前記予告シーンの動画、または、前記第１番組の前記宣伝シーンの動画、または、前記第１シーンの動画の前記録画データにおける録画再生位置を、ネットワーク上のサーバから受信する受信部、をさらに備え、
前記プロセッサは、前記記憶部に記憶された録画データから、前記録画再生位置に基づいて、前記第１番組の前記予告シーンの動画、または、前記第１番組の前記宣伝シーンの動画、または、前記第１シーンの動画の前記録画データのいずれか一つ以上を取得する、
請求項６に記載の電子機器。
【請求項８】
前記第１番組の前記予告シーンの動画、または、前記第１番組の前記宣伝シーンの動画、または、前記第１シーンの動画の前記録画データを保存する外部装置のアドレスを、ネットワーク上のサーバから受信する受信部、をさらに備え、
前記プロセッサは、前記外部装置のアドレスにアクセスして、前記第１番組の前記予告シーンの動画、または、前記第１番組の前記宣伝シーンの動画、または、前記第１シーンの動画の前記録画データのいずれか一つ以上を受信する、
請求項６に記載の電子機器。
【請求項９】
前記プロセッサは、プレビュー表示されたシーンを、自己または他のユーザに推奨する、
請求項６〜８のいずれか一つに記載の電子機器。
【請求項１０】
前記表示制御部は、前記第１番組が定期的に放送される番組である場合に、前記第１番組の前記予告シーンの動画をプレビュー表示し、前記第１番組が単独で放送される番組である場合に、前記宣伝シーンの動画をプレビュー表示する、
請求項６〜９のいずれか一つに記載の電子機器。
【請求項１１】
複数の放送番組の一覧を表示し、
前記一覧を介してユーザにより第１番組が選択される場合、前記第１番組の前回の放送番組に含まれる予告シーンの動画、または、前記第１番組の宣伝シーンの動画、または、前記第１番組に含まれる複数のシーンの中から規則に沿って選択される第１シーンの動画のいずれか一つ以上を取得し、
前記一覧とともに、取得された動画をプレビュー表示する、
ことをコンピュータに実行させるためのプログラム。
【請求項１２】
前記第１番組の前記予告シーンの動画、または、前記第１番組の前記宣伝シーンの動画、または、前記第１シーンの動画の録画データにおける録画再生位置を、ネットワーク上のサーバから受信し、
前記記憶部に記憶された録画データから、前記録画再生位置に基づいて、前記第１番組の前記予告シーンの動画、または、前記第１番組の前記宣伝シーンの動画、または、前記第１シーンの動画の前記録画データのいずれか一つ以上を取得する、
ことを前記コンピュータに実行させるための請求項１１に記載のプログラム。
【請求項１３】
前記第１番組の前記予告シーンの動画、または、前記第１番組の前記宣伝シーンの動画、または、前記第１シーンの動画の前記録画データを保存する外部装置のアドレスを、ネットワーク上のサーバから受信し、
前記外部装置のアドレスにアクセスして、前記第１番組の前記予告シーンの動画、または、前記第１番組の前記宣伝シーンの動画、または、前記第１シーンの動画の前記録画データのいずれか一つ以上を受信する、
ことを前記コンピュータに実行させるための請求項１１に記載のプログラム。
【請求項１４】
プレビュー表示されたシーンを、自己または他のユーザに推奨する、
ことをさらに前記コンピュータに実行させるための請求項１１〜１３のいずれか一つに記載のプログラム。
【請求項１５】
前記第１番組が定期的に放送される番組である場合に、前記第１番組の前記予告シーンの動画をプレビュー表示し、前記第１番組が単独で放送される番組である場合に、前記宣伝シーンの動画をプレビュー表示する、
ことを前記コンピュータに実行させるための請求項１１〜１４のいずれか一つに記載のプログラム。
【発明の詳細な説明】
【技術分野】
【０００１】
本発明の実施形態は、方法、電子機器およびプログラムに関する。
【背景技術】
【０００２】
近年、録画再生装置の録画予約データを用いて、番組の放送開始前に人気番組のランキングを表示したり、ＳＮＳ（Ｓｏｃｉａｌ  Ｎｅｔｗｏｒｋｉｎｇ  Ｓｅｒｖｉｃｅ）を利用して、ランキングの情報を友人と共有することが可能となっている。
【先行技術文献】
【特許文献】
【０００３】
【特許文献１】特開２０１１−１８８４５５号公報
【発明の概要】
【発明が解決しようとする課題】
【０００４】
しかしながら、このような従来の技術では、いずれも、番組のタイトル、放送日時が表示されるだけであって、具体的な番組の内容を表示することが行われていなかった。
【課題を解決するための手段】
【０００５】
実施形態の方法は、複数の放送番組の一覧を表示し、前記一覧を介してユーザにより第１番組が選択される場合、前記第１番組の前回の放送番組に含まれる予告シーンの動画、または、前記第１番組の宣伝シーンの動画、または、前記第１番組に含まれる複数のシーンの中から規則に沿って選択される第１シーンの動画のいずれか一つ以上を取得し、前記一覧とともに、取得された動画をプレビュー表示する。
【図面の簡単な説明】
【０００６】
【図１】図１は、実施形態１にかかるテレビジョン放送表示装置を含むネットワーク構成を示すブロック図である。
【図２】図２は、実施形態１のテレビジョン放送表示装置の概要構成の一例を示すブロック図である。
【図３】図３は、実施形態１の制御部の機能的構成の一例を示すブロック図である。
【図４】図４は、実施形態１にかかるシーン表示処理の手順の一例を示すシーケンス図である。
【図５】図５は、実施形態１のクラウドメニューのホーム画面の一例を示す図である。
【図６】図６は、実施形態１のクラウドメニューのマイページ画面の一例を示す図である。
【図７】図７は、実施形態１の人気予約番組ランキング画面の一例を示す図である。
【図８】図８は、実施形態１の検索処理の手順の一例を示すフローチャートである。
【図９】図９は、実施形態２にかかるシーン表示処理の手順の一例を示すシーケンス図である。
【図１０】図１０は、実施形態３にかかるシーン表示処理の手順の一例を示すシーケンス図である。
【図１１】図１１は、実施形態の変形例にかかるざんまいプレイ画面の一例を示す図である。
【図１２】図１２は、実施形態の変形例にかかる過去番組表の一例を示す図である。
【図１３】図１３は、実施形態１〜３および変形例のリモートコントローラのキー配置の一例を示す図である。
【図１４】図１４は、変形例のクラウドメニューのマイページ画面の一例を示す図である。
【発明を実施するための形態】
【０００７】
以下に示す実施形態は、電子機器を適用したテレビジョン放送表示装置の例について説明する。しかしながら、本実施形態は、電子機器をテレビジョン放送表示装置に制限するものではなく、録画再生装置等にも適用することができる。
【０００８】
（実施形態１）
本実施形態では、図１に示すように、テレビジョン放送表示装置１００がインターネット等のネットワーク１６０を介して、クラウドサーバ２００と接続されている。図１では、単一のテレビジョン放送表示装置１００しか示していないが、複数のテレビジョン放送表示装置１００や録画再生装置等がインターネット等のネットワーク１６０でクラウドサーバ２００と接続されている。
【０００９】
本実施形態のテレビジョン放送表示装置１００は、放送波から提供される番組のみならず、インターネット等を介してクラウドサーバ２００等の外部装置から提供されるプログラムやサービス等を実行可能な、いわゆるスマートテレビとする。
【００１０】
クラウドサーバ２００は、ネットワーク１６０に接続されたテレビジョン放送表示装置１００や録画再生装置等に対して、種々のクラウドサービスを提供するサーバである。クラウドサーバ２００は、図１に示すように、ランキングサーバ２１０と、検索サーバ２２０と、配信サーバ２３０とを主に備えている。
【００１１】
ランキングサーバ２１０は、ネットワーク１６０経由でテレビジョン放送表示装置１００や録画再生装置等から録画予約された番組の情報を収集して、録画履歴データとして保存しておく。そして、ランキングサーバ２１０は、収集した録画履歴データから、番組の予約数の多い順に番組でランクを付与した人気予約番組ランキングを生成する。ランキングサーバ２１０は、テレビジョン放送表示装置１００や録画再生装置等からランキング取得要求を受信した場合に、人気予約番組ランキングとして、番組情報と当該番組のランクを、ランキング取得要求の送信元であるテレビジョン放送表示装置１００や録画再生装置等に送信する。ここで、番組情報は、番組名、チャンネル番号、放送日時や、番組の詳細情報等、番組に関する情報である。
【００１２】
検索サーバ２２０は、テレビジョン放送表示装置１００や録画再生装置等からシーン取得要求を受信した場合に、ランキングサーバ２１０で管理している録画履歴データや、他のサーバ等で管理している電子番組表から、シーン取得要求で指定された番組の予告シーンや番組の宣伝のシーンである番宣シーンのシーン名と録画開始位置とを、シーン情報として、シーン取得要求の送信元に送信する。ここで、番宣シーンは、宣伝シーンの一例である。
【００１３】
配信サーバ２３０は、テレビジョン放送表示装置１００や録画再生装置等のユーザから送信されたメールや各種メッセージを指定された宛先のユーザに配信して、共有する。
【００１４】
なお、クラウドサーバ２００の構成はこれらに限定されるものではなく、提供するサービスに応じて種々のサーバを備えるようにクラウドサーバ２００を構成することができる。
【００１５】
次に、本実施形態のテレビジョン放送表示装置１００について説明する。テレビジョン放送表示装置１００は、図２に示すように、デジタル放送の放送波を受信し、受信した放送波から取り出した映像信号を用いて番組の映像を表示する据置型の映像表示装置であり、録画再生機能も備えている。
【００１６】
テレビジョン放送表示装置１００は、図２に示すように、アンテナ１１２、入力端子１１３、チューナ１１４および復調器１１５を有している。アンテナ１１２は、デジタル放送の放送波を捕らえ、その放送波の放送信号を、入力端子１１３を介してチューナ１１４に供給する。
【００１７】
チューナ１１４は、入力されたデジタル放送の放送信号から所望のチャンネルの放送信号を選局する。そして、チューナ１１４から出力された放送信号は復調器１１５に供給される。復調器１１５は、放送信号に復調処理を施し、デジタル映像信号および音声信号を復調して、後述するセレクタ１１６に供給する。
【００１８】
また、テレビジョン放送表示装置１００は入力端子１２１，１２３、Ａ／Ｄ変換部１２２、信号処理部１２４、スピーカ１２５および映像表示パネル１０２を有している。
【００１９】
入力端子１２１は外部からアナログの映像信号および音声信号が入力され、入力端子１２３は外部からデジタルの映像信号および音声信号が入力される。Ａ／Ｄ変換部１２２は入力端子１２１から供給されるアナログの映像信号および音声信号をデジタル信号に変換し、セレクタ１１６に供給する。
【００２０】
セレクタ１１６は、復調器１１５、Ａ／Ｄ変換部１２２および入力端子１２３から供給されるデジタルの映像信号及び音声信号から１つを選択して、信号処理部１２４に供給する。
【００２１】
信号処理部１２４は、入力される映像信号について、所定の信号処理やスケーリング処理等を施し、処理後の映像信号を映像表示パネル１０２に供給する。また、信号処理部１２４は、入力されたデジタル音声信号に所定の信号処理を施し、アナログ音声信号に変換してスピーカ１２５に出力する。また、テレビジョン放送表示装置１００は、少なくともＴＳデマルチプレクサおよびＭＰＥＧデコーダを有し、ＭＰＥＧデコーダによってデコードされた後の信号が信号処理部１２４に入力される。
【００２２】
さらに、信号処理部１２４は、映像表示パネル１０２に表示させるためのＯＳＤ（Ｏｎ  Ｓｃｒｅｅｎ  ｄｉｓｐｌａｙ）信号も生成している。
【００２３】
スピーカ１２５は、信号処理部１２４から供給される音声信号を入力し、その音声信号を用いて音声を出力する。
【００２４】
そして、映像表示パネル１０２は、液晶ディスプレイやプラズマディスプレイ等のフラットパネルディスプレイから構成される。映像表示パネル１０２は、信号処理部１２４から供給される映像信号を用いて映像を表示する。
【００２５】
さらに、テレビジョン放送表示装置１００は制御部１２７、操作部１２８、受光部１２９、ＨＤＤ（Ｈａｒｄ  Ｄｉｓｋ  Ｄｒｉｖｅ）１３０、メモリ１３１、及び通信Ｉ／Ｆ１３２を有している。
【００２６】
制御部１２７は、テレビジョン放送表示装置１００における種々の動作を統括的に制御する。制御部１２７は、ＣＰＵ（Ｃｅｎｔｒａｌ  Ｐｒｏｃｅｓｓｉｎｇ  Ｕｎｉｔ）等を内蔵したマイクロプロセッサであり、操作部１２８からの操作情報を入力する一方、リモートコントローラ１５０から送信された操作情報を、受光部１２９を介して入力し、それらの操作情報にしたがい各部をそれぞれ制御する。本実施形態の受光部１２９は、リモートコントローラ１５０からの赤外線を受光する。
【００２７】
この場合、制御部１２７は、メモリ１３１を使用している。メモリ１３１は、主として、制御部１２７に内蔵されているＣＰＵが実行する制御プログラムを格納したＲＯＭ（Ｒｅａｄ  Ｏｎｌｙ  Ｍｅｍｏｒｙ）と、ＣＰＵに作業エリアを提供するためのＲＡＭ（Ｒａｎｄｏｍ  Ａｃｃｅｓｓ  Ｍｅｍｏｒｙ）と、各種の設定情報及び制御情報等が格納される不揮発性メモリとを有している。
【００２８】
ＨＤＤ１３０は、セレクタ１１６で選択されたデジタルの映像信号及び音声信号を記録する記憶部としての機能を有している。テレビジョン放送表示装置１００はＨＤＤ１３０を有するため、後述する録画再生部によって、セレクタ１１６で選択されたデジタルの映像信号及び音声信号を録画データとしてＨＤＤ１３０により記録することができる。さらに、テレビジョン放送表示装置１００は、後述する録画再生部によって、ＨＤＤ１３０に記録されたデジタルの映像信号及び音声信号（過去に録画された録画データ）を用いて映像および音声を再生することもできる。
【００２９】
通信Ｉ／Ｆ１３２は、公衆ネットワーク４５０を介して様々な通信装置（例えばサーバ）と接続されており、テレビジョン放送表示装置１００で利用可能なプログラムやサービスを受信するほか、様々な情報を送信することができる。
【００３０】
次に、制御部１２７の機能的構成について説明する。本実施形態の制御部１２７は、図３に示すように、入力制御部３０３と、表示制御部３０６と、要求部３０１と、受信部３０５と、取得部３０２と、推奨部３０４と、録画再生部３０７とを主に備えている。
【００３１】
要求部３０１は、クラウドサーバ２００に対して各種要求を通信Ｉ／Ｆ１３２を介して送信する。例えば、要求部３０１は、ランキングサーバ２１０に対してランキング取得要求を送信したり、検索サーバ２２０に対してシーン取得要求を送信する。ここで、ランキング取得要求は、ランキング情報の要求を行うものである。シーン取得要求は、番組名、チャンネル番号（以下、「ｃｈ番号」という。）等を指定して、予告シーンや番宣シーンの情報を要求するものである。
【００３２】
受信部３０５は、通信Ｉ／Ｆ１３２を介してクラウドサーバ２００から各種情報を受信する。例えば、受信部３０５は、ランキングサーバ２１０からランキング情報を受信したり、検索サーバ２２０からシーン情報を受信する。
【００３３】
ここで、ランキング情報は、要求部３０１により送信されたランキング要求に応答して送信されるものである。ランキング情報には、人気予約番組ランキングのランクと、番組名、ｃｈ番号、放送日時等の番組情報が番組毎に複数含まれる。
【００３４】
また、シーン情報は、要求部３０１により送信されたシーン取得要求に応答して送信されるものである。シーン情報には、シーン取得要求で指定された番組の中のシーン名（予約シーン、番宣シーン）、当該シーンの録画開始・終了時刻が含まれる。
【００３５】
録画再生部３０７は、ＨＤＤ１３０に放送番組を録画して録画データとして保存するとともに、ＨＤＤ１３０に保存されている放送番組の録画データを再生する。本実施形態では、録画再生部３０７は、タイムシフトマシン機能により、録画した番組の録画データをＨＤＤ１３０に保存する。ここで、タイムシフトマシン機能とは、複数のチャンネルの番組を同時かつ定期的に録画して、録画された番組の録画データをＨＤＤ１３０に保存しておく機能である。
【００３６】
取得部３０２は、ＨＤＤ１３０にタイムシフトマシン機能により録画された番組の録画データから、シーン取得要求を行う際に指定した番組の録画データにおいて、受信部３０５によって受信したシーン情報で指定されている録画開始・終了位置の範囲のシーンの動画を特定して取得する。これにより、取得部３０２は、予告シーン、または番宣シーンのいずれか一つ以上を取得する。
【００３７】
表示制御部３０６は、映像表示パネル１０２への各種情報の表示を制御する。例えば、表示制御部３０６は、クラウドサービスに関する各種メニューや画面、人気予約番組ランキング等の複数の番組の一覧を映像表示パネル１０２に表示する制御を行う。また、表示制御部３０６は、人気予約番組ランキング等の複数の番組の一覧とともに、取得部３０２で取得されたシーンの動画を再生することにより、当該番組のシーンのプレビュー表示を行う。
【００３８】
ここで、表示制御部３０６は、ユーザに選択された番組が連続ドラマ等の定期的に放送される連続番組である場合に、予告シーンの動画をプレビュー表示し、ユーザに選択された番組が単独で放送される単発番組である場合に、番宣シーンの動画をプレビュー表示する。ユーザに選択された番組が連続番組であるか単発番組であるかは、検索サーバ２２０側で判断され、検索サーバ２２０が判断結果に応じて、予告シーンか番宣シーンのいずれかのシーン情報を送信し、受信部３０５がかかるシーン情報を受信する。
【００３９】
予告シーンは、ユーザに選択された番組の前回の放送番組に含まれる。番宣シーンは、選択された番組が単発番組であるため、選択された番組とは関連なく存在する場合がある。
【００４０】
入力制御部３０３は、操作部１２８からのユーザの操作入力を受け付けるとともに、リモートコントローラ１５０からのユーザの操作入力を受光部１２９を介して受け付ける。本実施形態では、表示制御部３０６により映像表示パネル１０２に表示された人気予約番組ランキングから、ユーザが所望の番組を、操作部１２８やリモートコントローラ１５０で選択する。このとき、入力制御部３０３は、ユーザによって選択された番組の入力を受け付ける。
【００４１】
推奨部３０４は、映像表示パネル１０２にプレビュー表示されたシーンの番組の番組情報を、自己または他のユーザに推奨するため配信サーバ２３０に送信して共有する。例えば、推奨部３０４は、当該シーンの番組情報を、ＳＮＳ等で他のユーザに勧めたり、メッセージを送信する。
【００４２】
次に、以上のように構成された本実施形態のテレビジョン放送表示装置１００によるシーン表示処理について図４を用いて説明する。
【００４３】
まず、テレビジョン放送表示装置１００の表示制御部３０６は、映像表示パネル１０２にクラウドメニューを表示する。ここで、クラウドメニューは、テレビジョン放送表示装置１００で提供される種々のクラウドサービスをユーザに選択させるためのメニュー画面である。クラウドメニューには、図５に示すようなホーム画面や図６に示すようなユーザに固有のマイページ画面等がある。
【００４４】
本実施形態では、図６に示すマイページ画面から人気予約番組ランキングボタン６０１をユーザが操作部１２８またはリモートコントローラ１５０で選択したものとする。この場合、入力制御部３０３は、ユーザによる人気予約番組ランキングボタン６０１の選択を受付ける（ステップＳ１１）。
【００４５】
次に、要求部３０１は、ランキングサーバ２１０に対して、ランキング取得要求を送信する（ステップＳ１２）。ランキングサーバ２１０は、ランキング取得要求を受信すると、収集している録画履歴データから番組のランク付けを行うランキング処理を実行する（ステップＳ４０）。そして、ランキングサーバ２１０は、ランキング処理が完了すると、番組ごとのランク、番組名、ｃｈ番号、放送日時が複数の番組について含まれるランキング情報を、ランキング取得要求を送信したテレビジョン放送表示装置１００に送信する（ステップＳ１３）。
【００４６】
テレビジョン放送表示装置１００では、受信部３０５がランキングサーバ２１０からランキング情報を受信すると、表示制御部３０６は、映像表示パネル１０２に人気予約番組ランキング画面を表示する（ステップＳ１４）。図７は、実施形態１の人気予約番組ランキング画面の一例を示している。図７に示すように、人気予約番組ランキング画面には、複数の番組のランキングが番組一覧７０１として表示されている。図７において、括弧内の数字がランキングを示す。
【００４７】
ユーザが複数の番組のランキングが番組一覧７０１の番組の中から、操作部１２８またはリモートコントローラ１５０で所望の番組を選択する。図７の例では、符号７０２のランキング１位の番組をユーザが選択した場合の状態を示している。
【００４８】
入力制御部３０３は、かかる番組の選択を付ける（ステップＳ１５）。そして、要求部３０１は、選択された番組の番組名、ｃｈ番号、放送日時等の番組情報を含むシーン取得要求を検索サーバ２２０に送信する（ステップＳ１６）。
【００４９】
検索サーバ２２０は、シーン取得要求を受信すると、検索処理を実行する（ステップＳ５０）。ここで、検索サーバ２２０で実行される検索処理の詳細について図８を用いて説明する。
【００５０】
検索サーバ２２０は、録画履歴データや電子番組表を参照して、シーン取得要求で指定された番組（すなわち、ユーザに選択された番組）が、毎週定まった曜日等、定期的に放送される連続番組であるか否かを判断する（ステップＳ５１）。ここで、連続番組でない番組としては、単独で放送される単発番組がある。
【００５１】
そして、シーン取得要求で指定された番組が連続番組であると判断された場合には（ステップＳ５１：Ｙｅｓ）、検索サーバ２２０は、検索対象のシーンを予告シーンに設定する（ステップＳ５２）。一方、ステップＳ５１で、シーン取得要求で指定された番組が連続番組でないと判断された場合、すなわち単発番組である場合には（ステップＳ５１：Ｎｏ）、検索サーバ２２０は、検索対象のシーンを番宣シーンに設定する（ステップＳ５３）。
【００５２】
次に、検索サーバ２２０は、シーン取得要求で指定された番組の、検索対象として設定されたシーンを、録画履歴データや電子番組表から検索する（ステップＳ５４）。具体的には、検索サーバ２２０は、シーン取得要求で指定された番組の、検索対象として設定されたシーンの録画開始・終了位置を、録画履歴データや電子番組表から検索する。
【００５３】
そして、検索サーバ２２０は、検索されたシーンにつき、シーン名（予告シーン、番宣シーン）と録画開始・終了位置とを含むシーン情報をシーン取得要求を送信したテレビジョン放送表示装置１００に送信する（ステップＳ５５、Ｓ１７）。
【００５４】
図４に戻り、テレビジョン放送表示装置１００が検索サーバ２２０からシーン情報を受信すると、取得部３０２は、ＨＤＤ１３０に保存されている録画データの中から、ユーザが選択した番組におけるシーン情報で指定されている録画開始・終了位置のシーンを特定して当該シーンの動画を取得する（ステップＳ１８）。
【００５５】
そして、録画再生部３０７は、取得部３０２により取得したシーンの動画を再生して、表示制御部３０６が当該シーンの映像を映像表示パネル１０２にプレビュー表示する（ステップＳ１９）。このとき、当該シーンの音声もスピーカ１２５から出力される。
【００５６】
図７に示した画面において、予告シーンや番宣シーンの動画７０３がプレビュー表示される。図７において、符号７０４はユーザが選択した番組の詳細情報である。この詳細情報は、ランキング情報に含まれ、番組情報の一つとしてランキングサーバ２１０から受信される。
【００５７】
本実施形態では、表示制御部３０６は、シーンのプレビュー表示を、人気予約番組ランキング画面の中に表示しているが、これに限定されるものではない。例えば、人気予約番組ランキング画面等の番組一覧の画面とは別個の画面をポップアップ等で表示して、当該別個の画面にプレビュー表示を行うように表示制御部３０６を構成してもよい。
【００５８】
そして、ユーザが予告シーンや番宣シーンのプレビュー表示を観て、気に入った場合には、図７の画面においいて「フレンドにおすすめ」ボタン７０４を押下したり、「シーン情報をＥメール」ボタン７０５を操作部１２８やリモートコントローラ１５０で押下する。
【００５９】
このとき、入力制御部３０３は、かかるボタン７０４，７０５の押下の入力を受け付け、推奨部３０４が押下されたボタンに応じた推奨処理を行う（ステップＳ２０）。例えば、入力制御部３０３が「フレンドにおすすめ」ボタン７０４の押下を受け付けた場合には、推奨部３０４は、プレビュー表示されている予告シーン若しくは番宣シーンの番組の番組名やｃｈ番号あるいは詳細情報もしくはシーンの情報を配信サーバ２３０に送信することにより、クラウドサービスで提供されるＳＮＳ機能等における友人のアカウントに予告シーン若しくは番宣シーンの情報を送信して推奨しかつ共有する。
【００６０】
また、入力制御部３０３が「シーン情報をＥメール」ボタン７０５の押下を受け付けた場合には、推奨部３０４は、プレビュー表示されている予告シーン若しくは番宣シーンの番組の番組名やｃｈ番号あるいは詳細情報もしくはシーンの情報を、自分自身のＥメールアドレスや他のユーザのメールアドレス等を指定して配信サーバ２３０を介して送信することにより推奨する。なお、推奨および共有の手法はこれらに限定されるものではない。
【００６１】
このように本実施形態では、人気予約番組ランキングの番組の一覧から、ユーザにより選択された番組の予告シーンまたは番宣シーンの動画をプレビュー表示しているので、ユーザは番組の一覧において、番組の内容を視覚的に把握することができる。
【００６２】
また、本実施形態では、プレビュー表示を観たユーザが友人等に、プレビュー表示の番組の情報を送信して共有することができるので、ユーザが気に入った番組を容易に共有することができる。
【００６３】
（実施形態２）
実施形態１では、タイムシフトマシン機能で録画された番組の中から、ユーザが選択した番組における予告シーンまたは番宣シーンを取得してプレビュー表示していたが、この実施形態２では、ネットワーク上から、ユーザが選択した番組における予告シーンまたは番宣シーンを取得してプレビュー表示している。
【００６４】
本実施形態のテレビジョン放送表示装置１００を含むネットワーク構成、テレビジョン放送表示装置１００の概要構成、制御部１２７の機能的構成は実施形態１と同様である。
【００６５】
実施形態２にかかるシーン表示処理について図９を用いて説明する。ステップＳ１１からＳ１６までの処理については、実施形態１と同様に行われる。
【００６６】
ステップＳ１６で、検索サーバ２２０は、テレビジョン放送表示装置１００からシーン取得要求を受信すると、実施形態１で図８を用いて説明した検索処理（ステップＳ５０）のステップＳ５４において、ネットワーク上の外部装置から、指定された番組の予告シーンや番宣シーンの動画を検索する。そして、検索サーバ２２０は、検索された外部装置のＵＲＬを、シーン情報に含めて、シーン取得要求の送信元のテレビジョン放送表示装置１００に送信する（ステップＳ２７）。
【００６７】
テレビジョン放送表示装置１００ではシーン情報を受信すると、取得部３０２がシーン情報で指定されたＵＲＬへアクセスして、アクセス先の外部装置から予告シーンや番宣シーンの動画をダウンロードする（ステップＳ２８）。そして、実施形態１と同様に、取得したシーンの動画が再生されてプレビュー表示される（ステップＳ１９）。推奨処理も実施形態１と同様に行われる（ステップＳ２０）。
【００６８】
このように本実施形態では、ネットワーク上から、ユーザが選択した番組における予告シーンまたは番宣シーンを取得してプレビュー表示しているので、テレビジョン放送表示装置１００で録画されているか否かにかかわらず、その番組の内容を視覚的に把握することができる。
【００６９】
（実施形態３）
実施形態２では、全ての番組について、ネットワーク上からユーザが選択した番組における予告シーンまたは番宣シーンを取得してプレビュー表示していたが、この実施形態３では、テレビジョン放送表示装置１００で録画されている番組の場合には録画データの中から、ユーザが選択した番組における予告シーンまたは番宣シーンを取得し、録画されていない番組の場合にネットワーク上から上記予告シーンまたは番宣シーンを取得してプレビュー表示している。
【００７０】
本実施形態のテレビジョン放送表示装置１００を含むネットワーク構成、テレビジョン放送表示装置１００の概要構成、制御部１２７の機能的構成は実施形態１と同様である。
【００７１】
本実施形態では、受信部３０５は、ユーザに選択された番組の予告シーンの動画または番宣シーンの動画の、選択された番組の録画データにおける録画再生位置と、選択された番組の予告シーンの動画または番宣シーンの動画を保存するネットワーク上の外部装置のＵＲＬとを含むシーン情報を、検索サーバ２２０から受信する。
【００７２】
取得部３０２は、ＨＤＤ１３０に記憶された録画データに、選択された番組が存在する場合には、ＨＤＤ１３０に記憶された録画データから予告シーンの動画または番宣シーンの動画を取得する。また、取得部３０２は、ＨＤＤ１３０に記憶された録画データに選択された番組が存在しない場合には、ＵＲＬにアクセスして、予告シーンの動画または番宣シーンの動画を受信する。
【００７３】
実施形態３にかかるシーン表示処理について図１０を用いて説明する。ステップＳ１１からＳ１６までの処理については、実施形態１と同様に行われる。
【００７４】
ステップＳ１６で、検索サーバ２２０は、テレビジョン放送表示装置１００からシーン取得要求を受信すると、実施形態１で図８を用いて説明した検索処理（ステップＳ５０）のステップＳ５４において、シーン取得要求で指定された番組の、検索対象として設定されたシーンを、録画履歴データや電子番組表から検索するとともに、ネットワーク上の外部装置から、指定された番組の予告シーンや番宣シーンを検索する。
【００７５】
そして、検索サーバ２２０は、シーン名（予告シーン、番宣シーン）と、録画開始・終了位置と、外部装置のＵＲＬとを、シーン情報に含めて、シーン取得要求の送信元のテレビジョン放送表示装置１００に送信する（ステップＳ３７）。
【００７６】
テレビジョン放送表示装置１００ではシーン情報を受信すると、取得部３０２は、ＨＤＤ１３０に保存されている録画データの中から、ユーザが選択した番組におけるシーン情報で指定されている録画開始・終了位置のシーンを特定して当該シーンの動画を検索する（ステップＳ１８）。そして、取得部３０２は、当該シーンの動画がＨＤＤ１３０に存在するか否かを判断し（ステップＳ３８）、存在しない場合には（ステップＳ３８：Ｎｏ）、取得部３０２がシーン情報で指定されたＵＲＬへアクセスして、アクセス先の外部装置から予告シーンや番宣シーンの動画をダウンロードする（ステップＳ３９）。
【００７７】
一方、ステップＳ３８において、ユーザが選択した番組におけるシーン情報で指定されている録画開始・終了位置のシーンの動画がＨＤＤ１３０に存在する場合には（ステップＳ３８：Ｙｅｓ）、取得部３０２は、当該動画を取得する。
【００７８】
そして、実施形態１と同様に、取得したシーンの動画が再生されてプレビュー表示される（ステップＳ１９）。推奨処理も実施形態１と同様に行われる（ステップＳ２０）。
【００７９】
このように本実施形態では、テレビジョン放送表示装置１００で録画されている番組の場合には録画データの中から、ユーザが選択した番組における予告シーンまたは番宣シーンを取得し、録画されていない番組の場合にネットワーク上から上記予告シーンまたは番宣シーンを取得してプレビュー表示しているので、テレビジョン放送表示装置１００で録画されていない番組でも、その番組の内容を視覚的に把握することができる。
【００８０】
（変形例１）
上記実施形態では、ユーザにより選択された番組の予告シーンまたは番宣シーンの動画をプレビュー表示しているが、プレビュー表示するシーンがこれらに限定されるものではない。例えば、選択された番組に含まれる複数のシーンの中から所定の規則に沿って選択される一つの特定のシーン（第１シーン）の動画を取得してプレビュー表示するように構成してもよい。この場合には、検索サーバ２２０は、シーン情報に特定のシーン名をシーン名として含めてテレビジョン放送表示装置１００に送信する。このような特定のシーンとしては、例えば、番組の代表的なシーンや、ダイジェストを示すシーンなどがあげられるが、これらに限定されるものではなく、任意の規則に基づいて選択される。
【００８１】
（変形例２）
上記実施形態では、図７に示す人気予約番組ランキング画面からユーザに所望の番組を選択させて、選択された番組の予告シーンや番宣シーンを取得しているが、ユーザが番組を選択する画面はこれに限定されるものではなく、複数の放送番組の一覧が表示される画面であれば任意の画面を用いることができる。例えば、図１１に示すような、ざんまいプレイの番組一覧の画面からユーザに所望の番組１１０１を選択させるように構成してもよい。
【００８２】
ここで、図６に示すクラウドメニューのマイページ画面において、ユーザがざんまいボタン６０２を押下して、入力制御部３０３がざんまいボタン６０２の押下を受け付けると、表示制御部３０６が映像表示パネル１０２に図１１のざんまいプレイ画面を表示する。ざんまいプレイとは、ユーザが指定した表示条件を満たす一または複数の番組の番組情報（例えば、ユーザが好むジャンル等の表示条件で検索された一または複数の番組コンテンツの番組情報）を表示する機能である。
【００８３】
また、図１２に示すような過去番組表の番組一覧からユーザに所望の番組１２０１を選択させるように構成してもよい。ここで、図６に示すクラウドメニューのマイページ画面において、ユーザが番組表ボタン６０３を押下して、入力制御部３０３が番組表ボタン６０３の押下を受け付けると、表示制御部３０６が映像表示パネル１０２に図１２の過去番組表画面を表示する。過去番組表は、タイムシフトマシン機能によりＨＤＤ１３０に録画された番組の一覧を示す番組表である。
【００８４】
上記実施形態および変形例では、図６に示すクラウドメニューのマイページ画面から人気予約番組ランキング画面、ざんまいプレイ画面、過去番組表画面を表示していたが、例えば、リモートコントローラ１５０のキーを押下することにより、これらの画面を表示することができる。
【００８５】
図１３は、リモートコントローラ１５０のキー配置を示している。図１３の例では、気になる！キー１３０１、ざんまいプレイキー１３０２、番組表キー１３０３等のキーが配置されている。図１３の例では、ユーザがざんまいプレイキー１３０２を押下して、入力制御部３０３がざんまいプレイキー１３０２の押下を受け付けると、表示制御部３０６が映像表示パネル１０２に図１１のざんまいプレイ画面を表示する。また、ユーザが番組表キー１３０３を押下して、入力制御部３０３が番組表キー１３０３の押下を受け付けると、表示制御部３０６が映像表示パネル１０２に図１２の過去番組表画面を表示する。また、リモートコントローラ１５０で特定のキーを押下すると表示制御部３０６が人気予約番組ランキング画面を表示するように構成することができる。
【００８６】
（変形例３）
上記実施形態では、ユーザが、図６に示すクラウドメニューのマイページ画面から、人気予約番組ランキングボタン６０１等のボタンを押下することで、人気予約番組ランキング画面等の番組一覧の画面が表示され、ユーザが所望の番組の選択が可能となったが、これに限定されるものではない。
【００８７】
例えば、図１４に示すクラウドメニュー画面（マイページ）に示すように、人気予約番組ランキング画面等の番組一覧１４０１をクラウドメニュー画面上に直接表示して、クラウドメニュー画面の番組一覧から、ユーザが所望の番組の選択を行うように表示制御部３０６、入力制御部３０３を構成してもよい。
【００８８】
この場合、ユーザが選択した番組の予告シーン、番宣シーンのプレビュー表示画面に新たに切り替わるように表示制御部３０６を構成することができる他、クラウドメニュー画面上にプレビュー表示画面を表示するように表示制御部３０６を構成することができる。
【００８９】
なお、本実施形態のテレビジョン放送表示装置１００で実行されるプレビュー表示プログラムは、メモリ１３１のＲＯＭ等に予め組み込まれてコンピュータプログラムプロダクトとして提供される。
【００９０】
本実施形態のテレビジョン放送表示装置１００で実行されるプレビュー表示プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【００９１】
さらに、本実施形態のテレビジョン放送表示装置１００で実行されるプレビュー表示プログラムを、インターネット等のネットワークに接続されたコンピュータ上に格納し、ネットワーク経由でダウンロードさせることによりコンピュータプログラムプロダクトとして提供するように構成しても良い。また、本実施形態のテレビジョン放送表示装置１００で実行されるプレビュー表示プログラムをコンピュータプログラムプロダクトとしてインターネット等のネットワーク経由で提供または配布するように構成しても良い。
【００９２】
本実施形態のテレビジョン放送表示装置１００で実行されるプレビュー表示プログラムは、上述した各部（入力制御部３０３、表示制御部３０６、要求部３０１、受信部３０５、取得部３０２、推奨部３０４、録画再生部３０７）を含むモジュール構成となっており、実際のハードウェアとしてはＣＰＵが上記メモリ１３１のＲＯＭからプレビュー表示プログラムを読み出して実行することにより上記各部がメモリ１３１のＲＡＭ等のメモリ上にロードされ、入力制御部３０３、表示制御部３０６、要求部３０１、受信部３０５、取得部３０２、推奨部３０４、録画再生部３０７がメモリ１３１のＲＡＭ上に生成されるようになっている。
【００９３】
さらに、ここに記述されたシステムの種々のモジュールは、ソフトウェア・アプリケーション、ハードウェアおよび／またはソフトウェア・モジュール、あるいはサーバのような1台以上のコンピュータ上のコンポーネントとしてインプリメントすることができる。種々のモジュールは、別々に説明されているが、それらは同じ根本的なロジックかコードのうちのいくつかあるいはすべてを共有してもよい。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１００  テレビジョン放送表示装置
２００  クラウドサーバ
２１０  ランキングサーバ
２２０  検索サーバ
３０１  要求部
３０２  取得部
３０３  入力制御部
３０４  推奨部
３０５  受信部
３０６  表示制御部
３０７  録画再生部
【図１】
2015104081.tif 000003
【図２】
2015104081.tif 000004
【図３】
2015104081.tif 000005
【図４】
2015104081.tif 000006
【図５】
2015104081.tif 000007
【図６】
2015104081.tif 000008
【図７】
2015104081.tif 000009
【図８】
2015104081.tif 000010
【図９】
2015104081.tif 000011
【図１０】
2015104081.tif 000012
【図１１】
2015104081.tif 000013
【図１２】
2015104081.tif 000014
【図１３】
2015104081.tif 000015
【図１４】
2015104081.tif 000016